(57)【特許請求の範囲】
【請求項１】
透液性の表面シート及び不透液性の裏面シートをそれぞれ、縦長の両側部とこれら両側部間に設けられる中央部とからなる平面視略Ｈ形に形成するとともに、前記両シート間の少なくとも前記中央部の幅方向中央部に陰唇間に装着される吸収要素を介在させ、
前記中央部の内、吸収要素の介在されていない両側のシート部分を夫々裏面側に折返して前記両側部の内側縁同士を近接又は重合させた状態とし、これら両側部の裏面シートの外面側に、前記両側部を一体的に覆う外面シート部材を接合し、前記中央部によって前記両側部の表面側中央部から連続するとともに、長手方向に沿って開口するループ状の陰唇間パッド部が形成されたことを特徴とする吸収性物品。
【請求項２】
前記中央部に介在される前記吸収要素の裏面シート側には、前記吸収要素の幅方向中央部を通るとともに、前記吸収性物品の前後端縁より外側に延在する帯状の帯部材が配設されている請求項１記載の吸収性物品。
【請求項３】
前記外面シート部材の両側部にそれぞれ装着時に下着のクロッチ部分を巻き込むようにして固定されるウイング状フラップが形成されている請求項１、２いずれかに記載の吸収性物品。
【請求項４】
前記両側部の表面シートと裏面シートとの間に吸収要素が介在されている請求項１〜３いずれかに記載の吸収性物品。
【請求項５】
前記両側部の内側縁同士を重合させるとともに、前記両側部の吸収要素の内側部分同士が重なるようにしてある請求項４記載の吸収性物品。
【発明の詳細な説明】
【技術分野】
【０００１】
本発明は、陰唇間に装着する陰唇間パッド部を備えた吸収性物品に係り、前記陰唇間パッド部を陰唇間に確実にフィットさせ漏れを防止するとともに、交換時の手の汚れ等を防止した吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
また、排血口との密着性を向上させ、経血等の漏れを防止するため、陰唇間に装着する陰唇間パッドが知られている。例えば、下記特許文献１には、表面シート、裏面シート、及び前記両シート間に介在され、前記表面シートの肌当接面が凸状となる二つ折り形状に形成された吸収体からなるパッド本体を備え、前記二つ折り形状のパッド本体の前記裏面シートの非肌当接面間を連結する連結部材を有する陰唇間パッドが開示されている。
【０００４】
また、下記特許文献２には、陰唇間に無理なく挟み込まれることが可能な大きさ及び形状の陰唇間パッドの装着をする際に使用される陰唇間パッド装着用補助具であって、着用者に着用される下着もしくは吸収性物品の前方から後方に亘って吊橋状の状態を形成するように当該下着もしくは当該吸収性物品に取り付けられて着用されるものであり、着用状態では、前記陰唇間パッドを陰唇間に安定的に固定させるために反身体側から当該陰唇間パッドを支持し、かつ、着用者の身体に向かって前記陰唇間パッドを付勢する長形部材から成る陰唇間パッド着用補助具が開示されている。
【先行技術文献】
【特許文献】
【０００５】
【特許文献１】特開２００７−１１１１９１号公報
【特許文献２】特開２００５−２９６０２５号公報
【発明の概要】
【発明が解決しようとする課題】
【０００６】
しかしながら、上記特許文献１記載の陰唇間パッドでは、装着時においては、パッド本体の裏面シートの非肌当接面と連結部材間に形成された指挿入部に利き手の指を挿入し、他方手の指で陰唇を開き前記パッドを装着するという手順で行われ、この陰唇間パッドを交換する際の脱着時においては、排血口の表面に露出する連結部材を手で摘んで取り外すという作業が必要となる。このため、脱着時に経血等が染み込んだ陰唇間パッドを指で摘まなければならず、経血等で手が汚れ、不快感を与えるとともに、衛生的に問題があった。
【０００７】
一方、上記特許文献２記載の陰唇間パッド着用補助具を使用した場合には、陰唇間パッド脱着時の手の汚れ等が改善されるものの、経血等の漏れを確実に防止するためには陰唇間パッドと生理用ナプキンとを併用する必要があるため、これら陰唇間パッド及びナプキンの両方を開封して装着するとともに脱着しなければならないという手間や時間がかかる問題があった。
【０００８】
そこで本発明の主たる課題は、陰唇間に確実にフィットさせ漏れを防止するとともに、交換時の手の汚れの防止及び手間の軽減を図るようにした吸収性物品を提供することにある。
【課題を解決するための手段】
【０００９】
上記課題を解決するために請求項１に係る本発明として、透液性の表面シート及び不透液性の裏面シートをそれぞれ、縦長の両側部とこれら両側部間に設けられる中央部とからなる平面視略Ｈ形に形成するとともに、前記両シート間の少なくとも前記中央部の幅方向中央部に陰唇間に装着される吸収要素を介在させ、
前記中央部の内、吸収要素の介在されていない両側のシート部分を夫々裏面側に折返して前記両側部の内側縁同士を近接又は重合させた状態とし、これら両側部の裏面シートの外面側に、前記両側部を一体的に覆う外面シート部材を接合し、前記中央部によって前記両側部の表面側中央部から連続するとともに、長手方向に沿って開口するループ状の陰唇間パッド部が形成されたことを特徴とする吸収性物品が提供される。
【００１０】
上記請求項１記載の発明では、先ず、表面シート及び裏面シートをそれぞれ、両側部と中央部とからなる平面視略Ｈ形に形成するとともに、前記両シート間の少なくとも前記中央部に陰唇間に装着される吸収要素を介在させた積層体を形成する。そして、この積層体について、前記中央部の内、吸収要素の介在されていない両側のシート部分を夫々裏面側に折返して前記両側部の内側縁同士を近接又は重合させた状態とし、これら両側部の裏面シートの外面側に、前記両側部を一体的に覆う外面シート部材を接合する。これによって、前記中央部により前記両側部の表面側中央部から連続するとともに、吸収性物品の長手方向に沿って開口するループ状の陰唇間パッド部が形成されるようにしてある。
【００１１】
かかる吸収性物品では、装着時においては、吸収性物品の表面側に形成されたループ状の前記中央部の内側に手の指を挿入し、前記吸収要素を陰唇間に装着する。一方、吸収性物品を交換する際の脱着時には、前記陰唇間パッド部に直接手を触れることなく、前記両側部等の吸収性物品の他の構成部材を手で摘んで脱着することができる。このため、装着時及び交換時の手の汚れが防止できるとともに、衛生的な交換作業が可能となり、装着及び交換の手間が緩和されるようになる。
【００１２】
また、前記陰唇間パッド部は、前記両側部の表面側中央部から連続的に設けられているため、吸収性物品に下着とのズレ止め手段を適宜採用した場合には、陰唇間パッド部のズレが抑制されるとともに、この陰唇間パッド部を形成する前記中央部の幅方向中央部に前記吸収要素が介在されているため、中央部の内、吸収要素が介在されない両側のシート部分が緩衝領域となって、激しい身体の動きに対しても陰唇間パッド部が排血口に密着した状態を常に維持でき、確実に漏れが防止できるようになる。
【００１３】
さらに、前記陰唇間パッド部の外側には、不透液性の裏面シートを備えた両側部が介在するため、万一陰唇間パッド部で吸収しきれなかった経血等の漏れが生じた場合でも、下着の汚れが防止できる。
【００１４】
請求項２に係る本発明として、前記中央部に介在される前記吸収要素の裏面シート側には、前記吸収要素の幅方向中央部を通るとともに、前記吸収性物品の前後端縁より外側に延在する帯状の帯部材が配設されている請求項１記載の吸収性物品が提供される。
【００１５】
上記請求項２記載の発明は、装着時の衛生面及び作業手間等を改善するため、前記中央部の前記吸収要素の裏面シート側に、前記吸収要素の幅方向中央部を通るとともに、前記吸収性物品の前後端縁より外側に延在する帯状の帯部材を配設するようにしたものである。
【００１６】
前記帯部材を配設することにより、吸収性物品の装着時には、陰唇間パッド部を排血口部にあてがった状態で、当該帯部材を前後から引き上げることにより、陰唇間パッド部を陰唇間に密着させることができ、装着作業が容易に行えるとともに、吸収性物品の表面側に一切手を触れることなく装着及び脱着が完了するため衛生的な装着及び脱着が可能となる。
【００１７】
また、前記帯部材を臀部の溝にくい込ませたり、下着からはみ出させて使用するなどにより、陰唇間パッド部を陰唇間に密着した状態を維持できるようになる。
【００１８】
請求項３に係る本発明として、前記外面シート部材の両側部にそれぞれ装着時に下着のクロッチ部分を巻き込むようにして固定されるウイング状フラップが形成されている請求項１、２いずれかに記載の吸収性物品が提供される。
【００１９】
上記請求項３記載の発明は、前記吸収性物品を下着に固定する手段であり、前記外面シート部材の両側部にそれぞれ装着時に下着のクロッチ部分を巻き込むようにして固定するウイング状フラップを形成するようにしたものである。
【００２０】
請求項４に係る本発明として、前記両側部の表面シートと裏面シートとの間に吸収要素が介在されている請求項１〜３いずれかに記載の吸収性物品が提供される。
【００２１】
上記請求項４記載の発明は、陰唇間パッド部の外面側に介在される両側部にも経血等の吸収機能を持たせ、経血等のより確実な漏れを防止しようとしたものである。また、両側部にも吸収機能を持たせることにより、生理用ナプキン等の一般的な吸収性物品に陰唇間パッドが一体的に備えられるようになるため、通常の陰唇間パッドと生理用ナプキンとの併用時にそれぞれを開封して装着するとともに脱着しなければならないという手間や時間が大幅に簡略化できるようになる。
【００２２】
請求項５に係る本発明として、前記両側部の内側縁同士を重合させるとともに、前記両側部の吸収要素の内側部分同士が重なるようにしてある請求項４記載の吸収性物品が提供される。
【００２３】
上記請求項５記載の発明は、前記両側部に吸収要素を介在させた場合の好ましい態様を規定したものであり、両側部の間に隙間無く吸収領域を形成し経血等の漏れを確実に防止するため、両側部の吸収要素の内側部分同士が重なるようにしたものである。
【発明の効果】
【００２４】
以上詳説のとおり本発明によれば、陰唇間に確実にフィットさせ漏れを防止するとともに、交換時の手の汚れの防止及び手間の軽減を図るようにした吸収性物品が提供できるようになる。
【図面の簡単な説明】
【００２５】
【図１】本発明に係る生理用ナプキン１の一部破断展開図である。
【図２】そのII−II線矢視図である。
【図３】その斜視図である。
【図４】生理用ナプキン１の分解図である。
【図５】装着要領を示す生理用ナプキン１の横断面図である。
【図６】帯部材１５を備える生理用ナプキン１Ａの展開図である。
【図７】図６のVII−VII線矢視図である。
【図８】他の形態例（その１）に係る生理用ナプキン１の横断面図である。
【図９】他の形態例（その２）に係る生理用ナプキン１の横断面図である。
【図１０】生理用ナプキン１の製造工程を示す工程図である。
【図１１】生理用ナプキン１Ａの個装要領を示す手順図である。
【発明を実施するための形態】
【００２６】
以下、本発明の実施の形態について図面を参照しながら詳述する。
【００２７】
本発明に係る生理用ナプキン１は、図１〜図４に示されるように、ポリエチレンシート、ポリプロピレンシートなどからなる不透液性の裏面シート２と、経血やおりものなどを速やかに透過させる透液性の表面シート３と、これら両シート２，３間に介在された綿状パルプ又は合成パルプなどからなる吸収体４、５並びにこの吸収体４、５の形状保持及び拡散性向上のために前記吸収体４，５をそれぞれ囲繞するクレープ紙６，７からなる吸収要素８，９と、前記裏面シート２の外面側に接合される外面シート部材１０とから構成されている。
【００２８】
前記表面シート３及び裏面シート２をそれぞれ、図４に示されるように、縦長の両側部１１、１１とこれら両側部１１、１１間に設けられる中央部１２とが一体的に形成される平面視略Ｈ形に形成するとともに、前記両シート２，３間には、前記中央部１２の幅方向中央部に陰唇間に装着される前記吸収要素８を介在させ、且つ前記両側部１１、１１にそれぞれ前記吸収要素９、９を介在させてある。そして、前記中央部１２の内、吸収要素８の介在されていない両側のシート部分１２ａ、１２ａを夫々裏面側に折返して前記両側部１１、１１の内側縁同士を重合させた状態とし、これら両側部１１、１１の裏面シート２の外面側に、前記両側部１１、１１を一体的に覆う前記外面シート部材１０を接合する。これによって、前記中央部１２によって、並列された前記両側部１１，１１の表面側中央部から連続する陰唇間パッド部Ｐが形成されるようになっている。すなわち、図３に示されるように、生理用ナプキン１の表面側の中央部には、生理用ナプキン１の長手方向に貫通する開口部Ｋを有するループ状の陰唇間パッド部Ｐが形成されるようになっている。
【００２９】
以下、さらに前記生理用ナプキン１の構造例について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３０】
次いで、前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００３１】
前記裏面シート２と表面シート３との間に介在される吸収体４、５のうち、前記中央部１２に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。一方、前記両側部１１に介在される吸収体５は、たとえば前記パルプを主体にしたエアレイドによって形成されている。
【００３２】
前記中央部１２に介在される吸収体４は、陰唇間に装着しやすいように、縦長の変形楕円状（図示例）、長円状、長方形状などとすることが好ましく、前記両側部１１に介在される吸収体５は、縦長の両側部１１の形状に沿って形成することが好ましい。また、前記吸収体４、５は、同等の厚さで形成することもできるが、中央部１２に介在される吸収体４は、陰唇間に装着して使用されるため、相対的に厚く形成し、両側部１１に介在される吸収体５は、生理用ナプキン１を薄型にするため、相対的に薄く形成することが好ましい。
【００３３】
前記両側部１１、１１にそれぞれ吸収要素９、９を介在させる場合、図２に示されるように、前記吸収要素９、９の内側部分同士が重なるように、前記両側部の内側縁同士を重合させるようにすることが好ましい。これによって、両側部１１、１１に吸収領域が隙間無く形成され、経血等の漏れが確実に防止できるようになる。
【００３４】
また、前記吸収体４、５に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３５】
なお、本例のように、吸収体４、５を囲繞するクレープ紙６，７を設ける場合には、結果的に透液性表面シート３と吸収体４、５との間にクレープ紙が介在することになり、吸収性に優れる前記クレープ紙によって体液を速やかに拡散させるとともに、これら経血等の逆戻りを防止するようになる。
【００３６】
前記両側部１１、１１の外面側に接合される外面シート部材１０は、両側部１１、１１を接合後、容易に引き裂けない程度の強度を有するシート部材を使用することができ、不織布、プラスチックシート等の単層体としてもよいし、これらを積層した積層体としてもよい。また、後段で詳述するように、前記表面シート３と裏面シート２との積層体を外面シート部材１０の形状に切り取って使用することもできる。
【００３７】
前記外面シート部材１０の両側部には、それぞれ装着時に下着のクロッチ部分を巻き込むようにして固定されるウイング状フラップＷ、Ｗが形成されている。このウイング状フラップＷ、Ｗの前記外面シート部材１０の外面側及び本体部の前記外面シート部材１０の外面側には、図２に示されるように、それぞれ下着とのズレ止めを図るためのズレ止め粘着剤層１３、１４が形成されている。
【００３８】
次に、前記生理用ナプキン１の使用方法について説明する。生理用ナプキン１の装着に当たっては、本生理用ナプキン１を下着に固定し、その下着を引き上げた後、下着内に手を入れて、前記中央部１２の長手方向端に形成された開口部Ｋ（図５参照）から指を挿入し、吸収要素８部分を陰唇間に密着させる。このように、本生理用ナプキン１では、陰唇間パッド部Ｐが一体的に備えられるため、通常の陰唇間パッドと生理用ナプキンとの併用時に、それぞれを開封して装着するという手間や時間が大幅に簡略化できるようになる。
【００３９】
一方、生理用ナプキン１を交換する際の脱着に当たっては、下着を引き下ろすと、この下着に固定された生理用ナプキン１が同時に引き下ろされ、陰唇間パッド部Ｐが排血口から脱着する。その後、生理用ナプキン１を下着から取り外し、処分する。このように、本生理用ナプキン１では、陰唇間パッド部Ｐが一体的に備えられているため、経血等で汚れた陰唇間パッドを直接手で触れなくても陰唇間パッド部Ｐを排血口から脱着することができ、交換時の手の汚れが防止できるとともに、衛生的な交換作業が可能となり、交換の手間及び時間が簡略化されるようになる。
【００４０】
次に、本生理用ナプキン１の他の形態例について説明すると、図６及び図７に示されるように、前記中央部１２に介在される吸収要素８の裏面シート２側には、前記吸収要素８の幅方向中央部を通るとともに、生理用ナプキン１の前後端縁より外側に延在して、帯状の帯部材１５が配設された生理用ナプキン１Ａとすることができる。なお、本例では、前記帯部材１５は、前記中央部１２の裏面シート２の外面にホットメルト等の接合手段によって接合されている。
【００４１】
前記帯部材１５は、撥水性を有し、且つ肌に刺激が少ない不織布などの素材によって、帯状又は紐状に構成したものである。前記帯部材１５は、少なくとも生理用ナプキン１の前後端部より外側に延在する長さで形成し、下着の前後端部からはみ出させる長さとすることができる。
【００４２】
前記帯部材１５を配設することにより、生理用ナプキン１の装着時に、生理用ナプキン１を固定した下着を引き上げた後、前記帯部材１５を前後から引き上げることにより、陰唇間パッド部Ｐを陰唇間に装着できるようになる。従って、下着内に手を挿入して指で陰唇間パッド部Ｐを陰唇間に装着するという手間が省け、装着作業がより容易に行えるとともに、生理用ナプキン１の表面側に一切手を触れることなく装着及び脱着が完了するため、より衛生的となる。
【００４３】
また、前記帯部材１５のうち、陰唇間パッド部Ｐより外側に延在させた部分を臀部の溝にくい込ませたり、下着からはみ出させて使用するなどにより、陰唇間パッド部Ｐを陰唇間に装着した状態を維持できるようになる。
【００４４】
また、生理用ナプキン１の他の形態例として、図８に示されるように、前記両側部１１、１１は内側縁同士を近接させた状態で前記外面シート部材１０を接合することもできる。また、図９に示されるように、前記両側部１１の吸収要素９は必ずしも必要なく、配置しなくてもよい。
【００４５】
ところで、前記生理用ナプキン１の製造工程の一部について、図１０に基づいて説明する。図１０は、前記外面シート部材１０を表面シート３と裏面シート２との積層体から構成した場合の前記積層体の切り出し形態を示す一例である。図示例のように、前記積層体の流れ方向に沿って縦長の両側部１１を配向した両側部１１及び中央部１２からなる部材の間に、前後の中央部１２の凹部にそれぞれ外面シート部材１０の前後端部を配置するようにするとともに、前後の両側部１１間に外面シート部材１０のウイング状フラップＷを配置するようにして、前記外面シート部材１０を切り出すことにより、トリム部（図中の斜線部）が少なくて済み、資材の無駄防止が図れるようになる。
【００４６】
他方、前記帯部材１５が備えられた生理用ナプキン１Ａを個装する場合、図１１に示される手順で個装することが可能である。すなわち、先ず、図１１(A)に示されるように、ウイング状フラップＷ、Ｗの折り畳み状態よりも幅広とされる所定長さの個装シート１６上に生理用ナプキン１Ａを配置するとともに、後側の帯部材１５及び両側のウイング状フラップＷ、Ｗをそれぞれ生理用ナプキン１の表面側に折り畳む（腹折りする）。その後、後側の幅方向に沿う折り線位置にてナプキン後側を表面側に折り畳んだならば、その上に前側の幅方向に沿う折り線位置にてナプキン前側を折り畳む。このとき、前側に延在した帯部材１５と個装シート１６とは、両者が重なる部分Ｓで接合しておくとともに、この個装シート１６より外側に延在した帯部材１５を、タグテープ部１７を残してナプキン１の表面側に折り畳み、このタグテープ部１７に粘着層を形成することにより、前記帯部材１５を個装時のタグテープとして利用することができるようになり、別途タグテープを設ける必要が無くなる。
【００４７】
〔他の形態例〕
上記形態例では、表面シート３及び裏面シート２はそれぞれ、両側部１１、１１と中央部１２とが一体的に形成されるようにしていたが、両側部１１と中央部１２とを別体のシート部材で構成し、これら両側部１１、１１及び中央部１２を平面視略Ｈ形になるように接合するようにしてもよい。
【符号の説明】
【００４８】
１・１Ａ…生理用ナプキン、２…裏面シート、３…表面シート、４・５…吸収体、６・７…クレープ紙、８・９…吸収要素、１０…外面シート部材、１１…両側部、１２…中央部、１３・１４…ズレ止め粘着剤層、１５…帯部材、Ｐ…陰唇間パッド部、Ｗ…ウイング状フラップ、Ｋ…開口部
【図１】
0005421140.tif 000002
【図２】
0005421140.tif 000003
【図３】
0005421140.tif 000004
【図４】
0005421140.tif 000005
【図５】
0005421140.tif 000006
【図６】
0005421140.tif 000007
【図７】
0005421140.tif 000008
【図８】
0005421140.tif 000009
【図９】
0005421140.tif 000010
【図１０】
0005421140.tif 000011
【図１１】
0005421140.tif 000012